(57)【要約】【課題】余剰インクがキャップ内に溜まって周囲を汚すことがなく、常にきれいな状態で使用することができ、また、筆先に常に筆記に適した量のインクを供給することができる直液式筆ペンを提供することを課題とする。【解決手段】インクを貯留するインクカートリッジ１と、筆先４１と、バルブユニット２１と、下半部がインクカートリッジ１に固定され、上半部においてバルブユニット２１を保持するジョイント軸１１と、ジョイント軸１１を被覆するノーズピース３１と、キャップ５１とから成り、キャップ５１は内側面に、ノーズピース３１にねじ付けた際に筆先を保持する筆先ホルダー２６を押下する環状段部３２を備え、環状段部３２によって筆先ホルダー２６が押下されるに伴い、バルブユニットにおけるインク流路が閉じられる。【選択図】図２
2020142471.tif 000002
【特許請求の範囲】
【請求項１】
インクを貯留するインクカートリッジと、筆先と、前記インクカートリッジと前記筆先との間にあって、前記筆先に適量のインクを供給するバルブユニットと、下半部が前記インクカートリッジに固定され、上半部において前記バルブユニットを保持するジョイント軸と、前記ジョイント軸の上半部及び前記筆先の根元部分を被覆するノーズピースと、前記ノーズピースにねじ付けて前記筆先を被覆するキャップとから成り、
前記キャップは内側面に、前記ノーズピースにねじ付けた際に前記筆先を保持する筆先ホルダーを押下する環状段部を備え、前記環状段部によって前記筆先ホルダーが押下されるに伴い、前記バルブユニットにおけるインク流路が閉じられることを特徴とする直液式筆ペン。
【請求項２】
前記バルブユニットは、弁ケースと、前記弁ケースの上半部内に装填されるリターンスプリングと、前記弁ケースの下半部に形成されたインク導入管に組み付けられるカップと、前記筆先の下半部を確固と保持する前記筆先ホルダーとから成る、請求項１に記載の直液式筆ペン。
【請求項３】
前記筆先ホルダーは下方に伸びる弁芯を備えていて、前記キャップの環状段部によって押下されるに伴い、前記弁芯により、前記弁ケースの下半部中央部に形成されるインク通路が閉じられ、また、前記筆先ホルダーと前記弁ケースとの間のインク通流間隙が閉じられる、請求項２に記載の直液式筆ペン。
【請求項４】
前記キャップは環状段部を二重に備え、そのうちの内側の前記環状段部が前記筆先ホルダーを押下するよう作用し、外側の前記環状段部が前記ノーズピースの上面に当たることで前記キャップの螺進端を規制するよう作用する、請求項１乃至３のいずれかに記載の直液式筆ペン。
【請求項５】
前記ノーズピースの内周面上部が前記筆先ホルダーの外周面に密着してその部分をシールし、そのシール部よりも下側の内周面と前記筆先ホルダーの外周面との間にインク通流間隙が生成され、前記筆先ホルダーの前記インク通流間隙対向部にインク導入口が開設され、前記インク導入口を通って前記インク通流間隙内のインクが前記筆先にしみ込み可能である、請求項１乃至４のいずれかに記載の直液式筆ペン。
【発明の詳細な説明】
【技術分野】
【０００１】
本発明は、直液式筆ペンに関するものであり、より詳細には、筆先に十分なインクを保有することができ、且つ、キャップの操作でインク漏れを防止することができる直液式筆ペンに関するものである。
【背景技術】
【０００２】
筆ペンとしては、インクを柔軟資材製の軸に収納し、使用時に軸を押してインクを筆先に供給するタイプのものが一般的である。このタイプの場合は、保管時等に不用意に軸に圧がかかると、インクが筆先に過剰に押し出され、余剰インクがキャップ内に溜まってしまい、キャップを外した際に垂れ落ちて周囲を汚すという問題が生ずる。このような問題は、キャップを閉めた状態で攪拌操作をした場合や、温度変化によって軸内の圧力に変化が生じた場合等にも起こることである。そして、このように筆先にインクを過剰に含浸した状態では、筆記に支障をきたす。
【０００３】
そこで、筆先にインクを適量供給するためにバルブ機構を採用することが考えられるが、筆ペンの場合のペン先は柔らかい毛筆であるため、ペン先を押してバルブを開く一般的なバルブ機構を採用することはできない。  
【先行技術文献】
【特許文献】
【０００４】
【特許文献１】特許第６４２３５５５号公報
【特許文献２】特開２００３−１３６８８２号公報
【発明の概要】
【発明が解決しようとする課題】
【０００５】
上述したように、従来の筆ペンの場合は、保管時等に不用意に軸に圧がかかった場合や攪拌操作をした際、あるいは、温度変化により軸内に圧力変化が生じた場合等に、筆先に過剰供給されたインクがキャップ内に溜まってしまい、キャップを外した際に垂れ落ちて周囲を汚すという問題があり、また、筆記に支障をきたすという問題があるところ、この問題解決のために、ペン先の押し込みによってバルブを開く方式のバルブ機構を採用することができないという事情がある。
【０００６】
そこで本発明は、保管時等に軸に圧がかかった場合や攪拌操作をした際、あるいは、温度変化により軸内に圧力変化が生じた場合等において、筆先にインクが過剰供給されるおそれがなく、余剰インクがキャップ内に溜まるおそれがないため、周囲を汚すことなく常にきれいな状態で使用することができ、また、筆先に常に筆記に適した量のインクを供給することができる直液式筆ペンを提供することを課題とする。
【課題を解決するための手段】
【０００７】
上記課題を解決するための請求項１に記載の発明は、インクを貯留するインクカートリッジと、筆先と、前記インクカートリッジと前記筆先との間にあって、前記筆先に適量のインクを供給するバルブユニットと、下半部が前記インクカートリッジに固定され、上半部において前記バルブユニットを保持するジョイント軸と、前記ジョイント軸の上半部及び前記筆先の根元部分を被覆するノーズピースと、前記ノーズピースにねじ付けて前記筆先を被覆するキャップとから成り、
前記キャップは内側面に、前記ノーズピースにねじ付けた際に前記筆先を保持する筆先ホルダーを押下する環状段部を備え、前記環状段部によって前記筆先ホルダーが押下されるに伴い、前記バルブユニットにおけるインク流路が閉じられることを特徴とする直液式筆ペンである。
【０００８】
本発明の一態様においては、前記バルブユニットは、弁ケースと、前記弁ケースの上半部内に装填されるリターンスプリングと、前記弁ケースの下半部に形成されたインク導入管に組み付けられるカップと、前記筆先の下半部を確固と保持する前記筆先ホルダーとから成る。
【０００９】
本発明の一態様においては、前記筆先ホルダーは下方に伸びる弁芯を備えていて、前記キャップの環状段部によって押下されるに伴い、前記弁芯により、前記弁ケースの下半部中央部に形成されるインク通路が閉じられ、また、前記筆先ホルダーと前記弁ケースとの間のインク通流間隙が閉じられる。
【００１０】
本発明の一態様においては、前記キャップは環状段部を二重に備え、そのうちの内側の前記環状段部が前記筆先ホルダーを押下するよう作用し、外側の前記環状段部が前記ノーズピースの上面に当たることで前記キャップの螺進端を規制するよう作用する。
【００１１】
本発明の一態様においては、前記ノーズピースの内周面上部が前記筆先ホルダーの外周面に密着してその部分をシールし、そのシール部よりも下側の内周面と前記筆先ホルダーの外周面との間にインク通流間隙が生成され、前記筆先ホルダーの前記インク通流間隙対向部にインク導入口が開設され、前記インク導入口を通って前記インク通流間隙内のインクが前記筆先にしみ込み可能である。
【発明の効果】
【００１２】
本発明に係る直液式筆ペンは上記のとおりであって、キャップがノーズピースにねじ付けた際に筆先を保持する筆先ホルダーを押下する機能を備えていて、キャップによって筆先ホルダーが押下されるに伴い、バルブユニットにおけるインク流路が閉じられるので、保管時等に軸に圧がかかった場合や攪拌操作をした際、あるいは、温度変化により軸内に圧力変化が生じた場合等においても、キャップが装着されている限り筆先にインクが過剰供給されることがなく、余剰インクがキャップ内に溜まるおそれがないため、周囲を汚すことなく常にきれいな状態で使用することができ、また、随時筆先に筆記に適した量のインクを供給することができて、常に筆記に好適な状態を保持し得る効果がある。  
【図面の簡単な説明】
【００１３】
【図１】本発明に係る直液式筆ペンの一実施形態の正面図である。
【図２】本発明に係る直液式筆ペンのキャップを外した状態の縦断面図である。
【図３】本発明に係る直液式筆ペンのキャップによるシール作用（第１、第２段階）を示す縦断面図である。
【図４】本発明に係る直液式筆ペンのキャップによるシール作用（第３、第４段階）を示す縦断面図である。
【図５】本発明に係る直液式筆ペンのキャップによるシール作用（第４段階）を示す要部拡大断面図である。
【図６】本発明に係る直液式筆ペンにおける弁ケースの形状例を示す縦断面図である。
【図７】本発明に係る直液式筆ペンにおける筆先ホルダーの形状例を示す側面図である。
【図８】本発明に係る直液式筆ペンにおけるシール部の詳細を示す図である。
【発明を実施するための形態】
【００１４】
本発明を実施するための形態につき、添付図面を参照しつつ詳細に説明する。なお、以下の説明においては、便宜上筆先側を上側（上端側、先端側等）として表現し、反対側を下側（下端側、後端側等）として表現してある。本発明に係る直液式筆ペンは、大別して、インク（墨）を貯留するインクカートリッジ１と、毛筆である筆先４１と、インクカートリッジ１と筆先４１との間にあって、筆先４１に適量のインクを供給するバルブユニット２１と、下半部がインクカートリッジ１に固定され、上半部においてバルブユニット２１を保持するジョイント軸１１と、ジョイント軸１１の上半部及び筆先４１の下部を被覆するノーズピース３１と、ノーズピース３１にねじ付けて筆先４１をカバーするキャップ５１とから成る（図１，２参照）。  
【００１５】
本発明に係る直液式筆ペンはバルブ式であるので、インクカートリッジ１は、押しても凹まない硬質樹脂製とされる。インクカートリッジ1の上部には環状段部２が形成され、その環状段部２より上の部分が、縮径化されてオネジ５が切られたオネジ筒３とされる。オネジ筒３の開口部には、シールキャップ４が嵌着される（図２）。このシールキャップ４は、インクカートリッジ１をジョイント軸１１の奥までねじ込むことにより、後述するジョイント軸１１のインク導入管１６によって突き破られる（図３〜５参照）。図２における符号６は、インクカートリッジ１とジョイント軸１１との間の環状パッキンを示す。
【００１６】
ジョイント軸１１は、外部に露出する太径部１２と、その上部に連設され、ノーズピース３１内に隠れて露見しない細径部１３とから成り、その太径部１２の内周面に、オネジ筒３の外周面のオネジ５に噛合するメネジ１４が切られる（図２参照）。また、その細径部１３の中間部に仕切り板１５が設けられ、仕切り板１５の中心部に下方に突出するインク導入管１６が形成される。上述したようにこのインク導入管１６は、インクカートリッジ１をジョイント軸１１の奥までねじ込むに伴ってシールキャップ４を突き破り、インクカートリッジ１内のインクをバルブユニット２１内に導入するよう作用する。
【００１７】
バルブユニット２１は、細径部１３の仕切り板１５の上側の空間部１７内に組み込まれる。バルブユニット２１は、空間部１７内に嵌合される弁ケース２２と、弁ケース２２の上半部内に装填されるリターンスプリング２３と、弁ケース２２の下半部に形成されるインク導入管２４に組み付けられるカップ２５と、筆先４１の下半部を確固と保持する筆先ホルダー２６とから成る（図５，６参照）。カップ２５は、弁ケース２２のインク導入管２４の外周面に形成されるリブ２４ａに組み付けられ、その外周面と弁ケース２２の内周面との間にインク通流間隙２４ｂが保持される（図６参照）。
【００１８】
筆先ホルダー２６は、インク導入口２９が複数開設されていて、筆先４１の下半部を保持する筒部２６ａと、リターンスプリング２３の上部が巻装される縮径部２６ｂと、縮径部２６ｂの中心から下方に伸びる弁芯２７を備えて成る（図５，７参照）。好ましくは、筆先ホルダー２６の下面に平坦部２６ｃとテーパー部２６ｄとを設け、一方弁ケース２２の開口縁２２ａを曲面に形成する（図８（Ａ）参照）。そのようにした場合、弁ケース２２の開口縁２２ａが筆先ホルダー２６の平坦部２６ｃとテーパー部２６ｄの２箇所（シール部位ａ，ｂ）に密着することになり、シール性が一層向上する。なお、シール部位ａにおけるシール性を高めるために、平坦部２６ｃ及び／又は平坦部２６ｃに当接する弁ケース２２の上面に、適宜凹凸部を設けてもよい。
【００１９】
また、弁芯２７は中間部にテーパー部２７ａを有していて、後述する作用により筆先ホルダー２６が押下されるに伴い、そのテーパー部２７ａが、弁ケース２２の下半部中央部に形成されるインク通路２８の開口縁２８ａに密着してインク通路２８を閉塞する（図８（Ｂ）のシール部位ｃ）。
【００２０】
縮径部２６ｂに巻装されるリターンスプリング２３は、筆先ホルダー２６の下面を受け、常時、筆先ホルダー２６を上方に付勢し、シール部位ａ，ｂ，ｃを開放するよう作用する。
【００２１】
ノーズピース３１は、ジョイント軸１１の上半部から筆先ホルダー２６までの部分を内装する筒状体で、その下半部にジョイント軸１１の細径部１３が密に嵌装される。ノーズピース３１はその外周面中間部に環状段部３２を有し、その環状段部３２よりも上の部分が若干テーパー化され、その外周面に、キャップ５１をネジ付けるためのオネジ３３が切られている（図３，５参照）。
【００２２】
ノーズピース３１は、その内周面上部が筆先ホルダー２６に摺接してその部分をシールするが、そのシール部３６よりも下側の内周面は筆先ホルダー２６の筒部２６ａの外周面から離れ、そこにインク通流間隙３５が生成される。そして、上記のとおり筆先ホルダー２６の筒部２６ａに、インク通流間隙３５に向けて開口するインク導入口２９が開設され、以て、インク通流間隙３５内のインクは、随時インク導入口２９を通って筆先４１にしみ込んでいく。
【００２３】
筆先４１に被せられるキャップ５１は、その下部内周面に、ノーズピース３１のオネジ３３に対応するメネジ５２が刻設されていて、そのメネジ５２を介してノーズピース３１のオネジ３３にねじ付け、筆先４１をカバーする。キャップ５１の内周面には、環状段部５４と突環５５が二重に形成される（図４，５参照）。内側の環状段部５４は、キャップ５１をノーズピース３１に対して螺進させていくことにより、筆先ホルダー２６の環状上端面に当接し、更に螺進させることにより、筆先ホルダー２６を押し込むように作用する（図４，５参照）。外側の突環５５は、ノーズピース３１の上端面に形成される環状凹陥部３４に嵌合することで、キャップ５１の螺進端を規制する。
【００２４】
上記構成の本発明に係る直液式筆ペンの場合、使用に際してキャップ５１を外した図３（Ａ）に示す状態において、インクカートリッジ１内のインクは、インク導入管１６から空間部１７内に自由に流れ込み、そこからカップ２５の外周面のインク通流間隙２４ｂを通って上昇し、カップ２５の上端面上の隙間を抜けて、インク導入管２４の外周面に形成されるリブ２４ａ間の隙間を下ってカップ２５内に入り込む。そして、カップ２５内に入り込んだインクは、インク導入管２４のインク通路２８内を上昇する。
【００２５】
キャップ５１を外した状態において筆先ホルダー２６は、常時リターンスプリング２３によって押し上げられているため、その弁芯２７はインク通路２８を開放する。従って、カップ２５内に入り込んだインクは、インク通路２８を抜けて弁ケース２２の上半部及びインク通流間隙３５を満たし、インク導入口２９から筆先４１にしみ込んでいく。かくして筆先４１は、適量のインクを含んで筆記に適した状態となり、また、筆記によりインクが減少した場合は、その分自動的に補充され、常時筆記に好適な湿潤状態が保持される。
【００２６】
そして、使用後キャップ５１をねじ付けていくと、やがて環状段部５４が筆先ホルダー２６の環状上端面に当たり（図４（Ａ）、（Ｂ））、更にキャップ５１をねじ込むと、環状段部５４によって筆先ホルダー２６が押し込まれ、筆先ホルダー２６の下面の平坦部２６ｃとテーパー部２６ｄが、それぞれ弁ケース２２の開口縁２２ａに密着してその部位（シール部位ａ，ｂ）をシールする。
【００２７】
また同時に、弁芯２７のテーパー部２７ａがインク通路２８の開口縁２８ａに密着してインク通路２８を閉塞し（シール部位ｃ）、インク通路２８から弁ケース２２の上半部内へのインクの流入を阻止する。かくして、それ以後、筆先４１へのインクの供給が絶たれ、筆先４１に余剰インクが溜まることはない。
【産業上の利用可能性】
【００２８】
本発明に係る直液式筆ペンは上記のとおりであって、保管時等に軸に圧がかかった場合や攪拌操作をした際、あるいは、温度変化により軸内に圧力変化が生じた場合等においても、キャップが装着されている限り筆先にインクが過剰供給されることがなく、余剰インクがキャップ内に溜まるおそれがないため、周囲を汚すことなく常にきれいな状態で使用することができ、また、随時筆先に筆記に適した量のインクが供給されるため、筆先は常に筆記に好適な湿潤状態を保持し得る効果があり、その産業上の利用可能性は大である。
【符号の説明】
【００２９】
１          インクカートリッジ
２          環状段部
３          オネジ筒
４          シール材
１１        ジョイント軸
１２        太径部
１３        細径部
１４        メネジ
１５        仕切り板
１６        インク導入管
１７        空間部
２１        バルブユニット
２２        弁ケース
２３        リターンスプリング
２４        インク導入管
２４ａ      リブ
２４ｂ      インク通流間隙
２５        カップ
２６        筆先ホルダー
２６ａ      筒部
２７        弁芯
２８        インク通路
２９        インク導入口
３１        ノーズピース
３２        環状段部         
３３        オネジ
３５        インク通流間隙
４１        筆先
５１        キャップ
５２        メネジ
５４        環状段部
５５        突環
【図１】
2020142471.tif 000003
【図２】
2020142471.tif 000004
【図３】
2020142471.tif 000005
【図４】
2020142471.tif 000006
【図５】
2020142471.tif 000007
【図６】
2020142471.tif 000008
【図７】
2020142471.tif 000009
【図８】
2020142471.tif 000010